(57)【要約】【課題】ＣＥＣコマンドに非対応なソース装置であっても、ソース装置の電源をＯＮするだけで、ソース装置からの映像及び音声を視聴できる入力切替装置を提供する。【解決手段】本発明の入力切替装置は、外部機器が接続される少なくとも1つ以上の入力部と、映像表示装置に接続される出力部を有し、前記入力部に接続される外部機器からの信号を、前記映像表示装置に出力することが可能な入力切替装置であって、前記外部機器が信号を出力可能な状態であるかどうかを判断する出力判断手段と、前記出力判断手段で出力可能な状態であると判断したときに、前記外部機器が接続された入力部に切り替える入力切替手段と、前記出力判断手段で出力可能な状態であると判断したときに、前記映像表示装置に対して自装置からの信号を受け入れられるように前記映像表示装置の入力を切り替えることを指示する切替指示手段とを備える。【選択図】図１
2012213131.tif 000002
【特許請求の範囲】
【請求項１】
外部機器が接続される少なくとも1つ以上の入力部と、映像表示装置に接続される出力部を有し、前記入力部に接続される外部機器からの信号を、前記映像表示装置に出力することが可能な入力切替装置であって、
前記外部機器が信号を出力可能な状態であるかどうかを判断する出力判断手段と、
前記出力判断手段で出力可能な状態であると判断したときに、前記外部機器が接続された入力部に切り替える入力切替手段と、
前記出力判断手段で出力可能な状態であると判断したときに、前記映像表示装置に対して自装置からの信号を受け入れられるように前記映像表示装置の入力を切り替えることを指示する切替指示手段と、
を備えることを特徴とする入力切替装置。
【請求項２】
前記出力判断手段は、前記外部機器が接続していることを検知したときに、前記外部機器から、少なくとも色信号を含むデータ（ＴＭＤＳ信号）を受信することで、前記外部機器が信号を出力可能な状態であると判断することを特徴とする請求項１に記載の入力切替装置。
【請求項３】
前記切替指示手段は、前記映像表示装置に対してコマンドを発行することで指示することを特徴する請求項１〜２に記載の入力切替装置。
【発明の詳細な説明】
【技術分野】
【０００１】
本発明は、複数のソース装置とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）で接続された入力切替装置において、特に、映像等のデジタル信号の入力先としてソース装置を選択可能な入力セレクタを制御する方式に関するものである。
【背景技術】
【０００２】
近年、主として民生用途の映像装置及び音響装置の分野において、映像装置と音響装置とを接続するインターフェース規格として、ＨＤＭＩ規格が広く普及している。ＨＤＭＩは、二つの機器間で非圧縮の映像データ及び音声データ等の伝送が可能なインターフェースである。ＨＤＭＩは、一方の装置から他方の装置への一方向のデータ伝送が可能である。ＨＤＭＩにおいて定義される装置は、「Ｓｏｕｒｃｅ」（以降、「ソース装置」と呼ぶ）、「Ｓｉｎｋ」（以降「シンク装置」と呼ぶ）、および「Ｒｅｐｅａｔｅｒ」（以降、「リピータ装置」と呼ぶ）である。ソース装置は、信号を送出することができる装置である。シンク装置は、信号を受信することができる装置である。リピータ装置は、２つの装置の間に配置される。リピータ装置は、信号を受信及び送信することができる。リピータ装置は、複数の信号入力部と１つの信号出力部を備えた構成、あるいは１つの信号入力部と複数の信号出力部を備えた構成とすることができる。リピータ装置は、ソース装置あるいはシンク装置のセレクタ機能等を備えることができ、そのような装置は入力切替装置とも呼ばれる。なお、リピータ装置は、入力された信号をパススルーするのではなく、同一装置内にシンク装置とソース装置の両方の能力を有し、受信したＨＤＭＩ信号を、一旦映像信号、音声信号、および制御信号等にデコードし、デコードした信号を再びＨＤＭＩ信号に変換して出力することができる。
【０００３】
また、ＨＤＭＩ規格に付随する規格として、ＣＥＣ（Ｃｏｎｓｕｍｅｒ  Ｅｌｅｃｔｒｏｎｉｃｓ  Ｃｏｎｔｒｏｌ）規格がある。ＣＥＣ規格は、ＨＤＭＩで接続された装置間で制御情報（以降、「ＣＥＣコマンド」と呼ぶ）をやりとりすることにより、ユーザが一方の装置を操作して他方の装置の動作制御を行うとともに、特定の装置の情報を取得・通知することができる規格である。非特許文献１及び非特許文献２は、ＨＤＭＩ規格の内容を開示している。
最近では、非特許文献１及び非特許文献２に開示されているＨＤＭＩ規格に準拠したインターフェースを用いて、シンク装置（例えば、テレビ等）とソース装置（例えば、ＢＤプレーヤ、ＤＶＤプレーヤ（例えば、ＤＶＤプレーヤ、ＳＴＢ等）と音声再生装置（例えば、ＡＶアンプ等）とを接続したホームシアターシステムが普及しつつある。ＡＶアンプは、ＤＶＤプレーヤから送られる音声信号またはテレビジョン受像機から送られる音声信号に基づき、ＡＶアンプに接続されたスピーカから音声出力を行うことができる機能を備えている。
【０００４】
また、テレビには複数のＨＤＭＩ入力端子が備わっているものがあり、シンク装置自身の操作により、複数のＨＤＭＩ入力から特定のＨＤＭＩ入力を選択して、映像・音声を再生出力することが出来る。また、ＡＶアンプにも複数のＨＤＭＩ入力端子が備わっているものがあり、複数のＨＤＭＩ入力から特定のＨＤＭＩ入力端子を選択して、テレビにその特定のＨＤＭＩ入力端子に接続されたプレーヤから受信したＨＤＭＩ信号を再送出することが出来る。その際のＡＶアンプの入力端子の選択は、ＡＶアンプそのものでの操作であったり、テレビあるいはプレーヤからの信号入力経路の情報が含まれたＣＥＣコマンドによって行なうことができることが知られている。
例えば、特許文献１では、テレビはＡＶアンプの入力端子の情報をＣＥＣコマンドでＡＶアンプから取得することにより、テレビはＡＶアンプの入力端子情報を含む入力切替ＯＳＤを生成・表示する手法が開示されている。この手法によれば、ユーザは、テレビでＡＶアンプの特定の入力端子を選択することができる。
【０００５】
このように従来のＡＶアンプでは、複数のＨＤＭＩ入力をＡＶアンプ自身のユーザ操作および、接続されたプレーヤあるいはテレビにおけるユーザ操作により、それら接続機器からのＣＥＣコマンドによる制御によって特定の入力端子を選択することができる。
【先行技術文献】
【特許文献】
【０００６】
【特許文献１】特開２００９−１４１５３７号公報
【非特許文献】
【０００７】
【非特許文献１】High-Definition Multimedia Interface Specification Version 1.1, 2004
【非特許文献２】ENHANCED EXTENDED DISPLAY IDENTIFICATION DATA STANDARD Release A, Revision 1 VESA, 2002
【発明の概要】
【発明が解決しようとする課題】
【０００８】
しかしながら、特許文献１の手法では、ＡＶアンプ、テレビともベンター独自のＣＥＣコマンドを使用しており、このＣＥＣコマンドを解釈することが出来るＡＶアンプとテレビを組み合わせることが前提であり、すくなくともどちらか一方がこの仕組みに非対応の場合には、特許文献１で開示されている効果を得ることが出来ないという問題があった。
また、特許文献１の手法を上記のように解釈可能なＣＥＣコマンドに非対応である従来の機器を組み合わせた場合には、ＡＶアンプのＨＤＭＩ入力を切り替える手段としては、プレーヤが映像出力開始時や再生開始時に発行するＣＥＣコマンドによって自動的に切り替える手段がある。しかし、プレーヤがＣＥＣコマンドに非対応である場合については、ＡＶアンプのＨＤＭＩ入力を切替るためには、ＡＶアンプを直接操作しなければならず、ＡＶアンプの非選択側のＨＤＭＩ入力に接続したプレーヤの電源をＯＮして映像出力を開始しても、ＡＶアンプの入力切替とテレビの入力切替の両方を操作しなければ非選択側のＨＤＭＩ入力に接続したプレーヤの映像・音声を視聴することができないという使い勝手の点で課題があった。
【０００９】
そこで、本発明は、上記従来の問題点を解決すべく、テレビはＣＥＣ規格で対応が必須とされている標準のＣＥＣコマンドに対応していれば新しい仕組みを追加することを必要とせず、ＡＶアンプの非選択側のＨＤＭＩ入力に接続したプレーヤがＣＥＣコマンドに非対応であっても、プレーヤの電源をＯＮするのみで自動的にＡＶアンプの入力切替とテレビの入力を電源ＯＮしたプレーヤに切り替えて、そのプレーヤで再生した映像と音声を視聴することができるようになるＡＶアンプ、すなわち入力切替装置を提供することを目的とする。
【課題を解決するための手段】
【００１０】
上記目的を達成するために、本発明の入力切替装置は、外部機器が接続される少なくとも1つ以上の入力部と、映像表示装置に接続される出力部を有し、前記入力部に接続される外部機器からの信号を、前記映像表示装置に出力することが可能な入力切替装置であって、前記外部機器が信号を出力可能な状態であるかどうかを判断する出力判断手段と、前記出力判断手段で出力可能な状態であると判断したときに、前記外部機器が接続された入力部に切り替える入力切替手段と、前記出力判断手段で出力可能な状態であると判断したときに、前記映像表示装置に対して自装置からの信号を受け入れられるように前記映像表示装置の入力を切り替えることを指示する切替指示手段とを備えるものである。
このような手段により、本発明の入力切替装置に接続されたソース装置（例えば、プレーヤ等）の映像出力が開始されたら、自動的に入力切替装置の入力セレクタをプレーヤに切り替えることが出来るという作用を有する。
【発明の効果】
【００１１】
上記の構成によれば、本発明の入力切替装置であれば、プレーヤ及びテレビに新たな仕組みを導入する必要なく、かつＣＥＣコマンドに非対応のプレーヤであっても、そのプレーヤの電源をＯＮにするだけで、自動的に入力切替装置であるＡＶアンプとテレビの入力が切り替わり、ＣＥＣコマンドに非対応のプレーヤで再生された映像と音声を視聴することが出来るため、ユーザの利便性を向上することが出来る。
【図面の簡単な説明】
【００１２】
【図１】実施の形態１にかかる入力切替装置を含む映像音声再生システムのブロック図
【図２】実施の形態１にかかる入力切替装置に接続した外部機器の接続・映像出力開始を判断するフローチャート
【図３】実施の形態１にかかる入力切替装置における入力切替の動作を示すシーケンス図
【発明を実施するための形態】
【００１３】
以下、本発明の入力切替装置の実施の形態について、図面を参照しながら説明する。
（実施の形態）
図１に、実施の形態にかかる入力切替装置を含む映像音声再生システムのブロック図を示す。
映像音声再生システムは、ＡＶアンプ１０１、テレビ１０２、ＳＴＢ１０３、ＳＴＢ１０４を備える。ＡＶアンプ１０１のＨＤＭＩ出力部１０１ｆは、ＨＤＭＩケーブル１０５でテレビ１０２のＨＤＭＩ入力部１０２ａに接続する。ＡＶアンプのＨＤＭＩ入力部１０１ａ、１０１ｂはそれぞれ、ＨＤＭＩケーブル１０６でＳＴＢ１０３のＨＤＭＩ出力部１０３ａ、ＨＤＭＩケーブル１０７でＳＴＢ１０４のＨＤＭＩ出力部１０４ａに接続する。このような構成により、ＡＶアンプ１０１は、ＳＴＢ１０３からの映像等の信号をＨＤＭＩ入力部１０１ａで受信し、その受信された信号をＨＤＭＩ出力部１０１ｆから再送出する。テレビ１０２は、ＡＶアンプ１０１からの信号をＨＤＭＩ入力部１０２ａで受信し、その受信した映像等を表示することができる。
【００１４】
＜ＡＶアンプの構成＞
ＡＶアンプ１０１は、入力切替装置の一例である。テレビ１０２は、映像表示装置の一例である。ＳＴＢ１０３及び１０４は、外部機器の一例である。
ＡＶアンプ１０１は、ＨＤＭＩ入力部１０１ａ、１０１ｂ、接続検出部１０１ｃ、ＨＤＭＩ出力部１０１ｆ、ＧＵＩ生成部１０１ｇ、入力選択部１０１ｅ、ＭＰＵ１０１ｄを備える。本実施の形態では、ＡＶアンプ１０１の物理アドレスは１．０．０．０とする。
ＨＤＭＩ入力部１０１ａ及びＨＤＭＩ入力部１０１ｂそれぞれは入力部の一例である。接続検出部１０１ｃは、出力判断部の一例である。ＭＰＵ１０１ｄは、切替指示部の一例である。入力選択部１０１ｅ、入力切替部の一例である。ＨＤＭＩ出力部１０１ｆは、出力部の一例である。
【００１５】
ＭＰＵ１０１ｄは、入力選択部１０１ｅ、ＨＤＭＩ入力部１０１ａ、１０１ｂ、ＨＤＭＩ出力部１０１ｆの制御、ＣＥＣコマンドの制御を行なう。
入力選択部１０１ｅは、ＨＤＭＩ入力部１０１ａと１０１ｂのいずれか1つを選択して受信したＴＭＤＳ信号（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ信号）をデコードした映像・音声・制御信号、もしくはＧＵＩ生成部１０１ｇの映像・音声・制御信号をＴＭＤＳ信号にエンコードし、ＨＤＭＩ出力部１０１ｆから再送出する。
接続検出部１０１ｃは、ＨＤＭＩ入力部１０１ａ、１０１ｂそれぞれに入力された＋５ＶＰｏｗｅｒ信号を監視し、この信号があればＨＤＭＩ入力部１０１ａ、１０１ｂそれぞれにＳＴＢ１０３、ＳＴＢ１０４が接続されていることを検知することが出来る。さらに、接続検出部１０１ｃは、実際にＴＭＤＳ信号の受信制御を実行し、接続されたＳＴＢ１０３が映像信号を含む信号を出力開始した際にはＴＭＤＳ信号の受信開始を検知する。これにより、接続検出部１０１ｃは、ＳＴＢ１０３が出力信号を出力可能な状態であることを検知することができる。
【００１６】
＜テレビの構成＞
テレビ１０２は、ＨＤＭＩ入力部１０２ａと１０２ｂ、Ｔｕｎｎｅｒ入力部１０２ｃ、入力選択部１０２ｄ、表示部１０２ｆ、ＭＰＵ１０２ｅで構成される。
入力選択部１０２ｄは、ＨＤＭＩ入力部１０２ａと１０２ｂ、Ｔｕｎｎｅｒ入力部１０２ｃのいずれか１つを選択して、表示部１０２ｆで映像を表示する。つまり、入力選択部１０２ｄがＨＤＭＩ入力部１０２ａを選択した場合には、ＨＤＭＩ入力部１０２ａに接続されたＡＶアンプ１０１から送出された映像が、表示部１０２ｆに表示される。また入力選択部１０２ｄがＴｕｎｎｅｒ入力部１０２ｃを選択した場合には、Ｔｕｎｎｅｒ入力部１０２ｃで受信した映像を表示部１０２ｆで表示されるとともに、音声が図示しない内蔵スピーカから出力される。
【００１７】
ＭＰＵ１０２ｅは、少なくともＣＥＣコマンドの制御を行なう。
＜ＳＴＢの構成＞
ＳＴＢ１０３は、ＨＤＭＩ出力部１０３ａを備える。ＳＴＢ１０４はＨＤＭＩ出力部１０４ａを備える。ＳＴＢ１０３のＨＤＭＩ出力部１０３ａは、ＨＤＭＩケーブル１０６でＡＶアンプ１０１のＨＤＭＩ入力部１０１ａと接続される。ＳＴＢ１０４のＨＤＭＩ出力部１０４ａは、ＨＤＭＩケーブル１０７でＡＶアンプ１０１のＨＤＭＩ入力部１０１ｂと接続される。
ＳＴＢ１０３及びＳＴＢ１０４は、映像・音声信号を出力する場合には、まず＋５Ｖ Ｐｏｗｅｒ信号を出力し、その後、ＡＶアンプ１０１からのＨｏｔＰｌｕｇ信号によりＡＶアンプ１０１が受信可能な状態であることを認識してから、映像・音声・制御信号をエンコードしたＴＭＤＳ信号を出力し始める。
【００１８】
＜ＡＶアンプの動作＞
次に、ＡＶアンプ１０１がＳＴＢ１０３の接続・映像出力開始を検知し、テレビ１０２の入力を自動的に切り替える動作を説明する。ＳＴＢ１０４の場合も同様であるため、ＳＴＢ１０４に関する説明は省略する。図２は、ＡＶアンプに接続したＳＴＢの接続・映像出力開始を判断するフローチャートである。図３は、ＡＶアンプにおける入力切替の動作を示すシーケンス図である。
まず、接続検出部１０１ｃは、ＳＴＢ１０３がＨＤＭＩケーブル１０６を介して出力する＋５Ｖ  Ｐｏｗｅｒ信号を検出することで、ＳＴＢ１０３の接続があったかどうかを検知する（Ｓ１）。接続検出部１０１ｃによってＳＴＢ１０３の接続が検知されたら、ＨＤＭＩ入力部１０１ａは、ＳＴＢ１０３からのＴＭＤＳ信号を受信できる状態にする（Ｓ２）。接続検出部１０１ｃは、ＳＴＢ１０３からのＴＭＤＳ信号がＨＤＭＩ入力部１０１ａに入力されたか否かを検出する（Ｓ３）。ＳＴＢ１０３からのＴＭＤＳ信号の入力が検出されたら、接続検出部１０１ｃは、ＳＴＢ１０３が信号出力可能状態であると判断する（Ｓ４）。以上の動作で、ＨＤＭＩ入力部１０１ａには、ＳＴＢ１０３が接続されていることが確定する。なお、Ｓ２とＳ３の処理を行わずに、接続検出部１０１ｃは、ＳＴＢ１０３の接続を＋５Ｖ  Ｐｏｗｅｒ信号の検知をもってＳＴＢ１０３が信号出力可能状態であると判断してもよい。
【００１９】
以上のように、ＳＴＢ１０３がＴＭＤＳ信号出力可能状態であることが確定したら、ＭＰＵ１０２ｅは、ＡＶアンプ１０１に接続されたテレビ１０２の入力を切り替えるＣＥＣコマンド＜Ａｃｔｉｖｅ  Ｓｏｕｒｃｅ＞[１．０．０．０]を発行する（Ｓ６）。テレビ１０２は、ＣＥＣコマンド＜Ａｃｔｉｖｅ  Ｓｏｕｒｃｅ＞[１．０．０．０]を受信したら、入力先をＡＶアンプ１０１が接続されているＨＤＭＩ入力部１０２ａに切り替える（Ｓ７）。この時点で、ＡＶアンプ自身が出力する映像がテレビ１０２に表示される状態になる。
続いて、ＡＶアンプ１０１は、ＳＴＢ１０３が接続されているＨＤＭＩ入力部１０１ａにＡＶアンプ自身の入力を自動的に切り替える（Ｓ８）。これにより、ＭＰＵ１０１ｄは、ＳＴＢ１０３から受信したＴＭＤＳ信号を映像・音声・制御信号にデコードするとともに、再びＴＭＤＳ信号にエンコードして、テレビ１０２に再送出を開始する。この時点で、ＳＴＢ１０３が出力する映像がテレビ１０２に表示される状態になる。つまり、ＳＴＢ１０３がＣＥＣコマンドに対応していなくても、テレビ１０２は映像を再生することができる。
【００２０】
続いて、ＡＶアンプ１０１は、ＣＥＣコマンド＜Ｒｏｕｔｉｎｇ  Ｃｈａｎｇｅ＞[１．０．０．０][１．１．０．０]を発行し、視聴する映像・音声信号の出力装置がＳＴＢ１０３であることを通知する（Ｓ９）。テレビ１０２は、ＣＥＣコマンド＜Ｒｏｕｔｉｎｇ  Ｃｈａｎｇｅ＞[１．０．０．０][１．１．０．０]を受信したら、視聴する映像・音声信号の出力装置がＳＴＢ１０３であることを確定する（Ｓ１０）。その後、テレビ１０２は、ＣＥＣコマンド＜Ｓｅｔ  Ｓｔｒｅａｍ  Ｐａｔｈ＞[１．１．０．０]を発行する（Ｓ１１）。これにより、ＳＴＢ１０３がＣＥＣコマンドに対応していた場合には、ＣＥＣコマンド＜Ａｃｔｉｖｅ  Ｓｏｕｒｃｅ＞[１．１．０．０]を発行する（Ｓ１２）。このように、テレビ１０２は現在の表示している映像の出力機器を操作対象としたＣＥＣコマンドによる機器間制御を正しく行なうことも従来どおり可能な状態になる。
【産業上の利用可能性】
【００２１】
本発明のかかる入力切替装置であるＡＶアンプは、本装置に接続されたテレビで、本装置に接続されたＳＴＢを視聴する際に、ＳＴＢの電源をＯＮしてＨＤＭＩでの出力を開始するだけで、ユーザによるテレビ及びＡＶアンプの入力切替操作を必要としない。また、ベンダー独自に新たにＣＥＣコマンドを定義する必要がなく、さらに該当のＳＴＢがＣＥＣコマンドに非対応であっても自動的にＡＶアンプとテレビの入力を切替えて、ＳＴＢの映像・音声の視聴を開始することが可能であるため、ホームシアターシステムでＣＥＣコマンドを利用したシステムにおいて最適な視聴状態を提供するために利用できる。
【符号の説明】
【００２２】
１０１    ＡＶアンプ
１０１ａ、１０１ｂ、１０２ａ、１０２ｂ    ＨＤＭＩ入力部
１０１ｃ    接続検出部
１０１ｄ、１０２ｅ    ＭＰＵ
１０１ｅ、１０２ｄ    入力選択部
１０１ｇ    ＧＵＩ生成部
１０２    テレビ
１０２ｃ    Ｔｕｎｎｅｒ入力部
１０２ｆ    表示部
１０３、１０４    ＳＴＢ
１０１ｆ、１０３ａ、１０４ａ    ＨＤＭＩ出力部
１０５、１０６、１０７    ＨＤＭＩケーブル
【図１】
2012213131.tif 000003
【図２】
2012213131.tif 000004
【図３】
2012213131.tif 000005